(57)【要約】      （修正有）【課題】組立分解作業の容易な組立式飾り棚用スタンド及び飾り棚を提供する。【解決手段】組立式飾り棚用スタンドＤは、枠上部と枠下部それぞれの中央部にスリット状の隙間ａ１を備えた第１の枠状構造体Ａと、第１の枠状構造体Ａと略同一形状で構成され、枠下部の中央部に第１の枠状構造体Ａの枠下部中央部に設けられたスリット状の隙間と嵌合するスリット状の隙間ｂ１を備えた第２の枠状構造体Ｂと、より構成され第１の枠状構造体Ａと直交する方向から第２の枠状構造体Ｂが隙間ａ１に対してスライド挿入され、第１の枠状構造体Ａの枠下部に設けられたスリット状の隙間に第２の枠状構造体Ｂの枠下部に設けられたスリット状の隙間ｂ１が嵌合することで第１の枠状構造体Ａと第２の枠状構造体Ｂが十字状に固定される。【選択図】図３
0003227526.tif 000002
【実用新案登録請求の範囲】
【請求項１】
第１の枠状構造体（Ａ）の枠内上部と枠内下部に設けた隙間（ａ１，ａ３）に、第２の枠状構造体（Ｂ）をスライドして挿入し、第１の枠状構造体の内側下部の溝部（ａ１）に第２の枠状構造体の外側下部の溝部（ｂ１）をかみ合わせて、第１の枠状構造体（Ａ）と第２の枠状構造体（Ｂ）を十字状に固定する事を特徴とするスタンドである。（Ｄ）
【請求項２】
請求項１のスタンドの構造体にあるフック部分（ａ２，ｂ２）に、第３の構造体（Ｃ）の孔（ｃ１）をはめ込み固定し、棚としての機能を持ち、更にスタンドの安定性を増す事を特徴とする組立式スタンドを利用した飾り棚である。
【請求項３】
第１の構造体（Ｅ）の上部の隙間（ｅ１）に第２の構造体（Ｆ）の下部隙間（ｆ１）をかみ合わせ、十字状にし、第１の構造体（Ｅ）の溝（ｅ２）に、第３の平面体（Ｇ）の溝（ｇ１）をかみ合わせてスライドして挿入し、第２の構造体（Ｆ）の溝（ｆ２）にスライドして挿入することで、十字状スタンド（Ｈ）が上下に動かないように固定し、安定性を高める事を特徴とする、組立式スタンドを利用した飾り棚である。
【考案の詳細な説明】
【技術分野】
【０００１】  本考案は、パーティやティータイム時にケーキ、サンドウィッチ、スコーン等や、前菜などの食品を載せてテーブル等に載置する事が可能な飾り棚で、一般にケーキスタンドと呼ばれる製品に係るものである。
また、身の回りの時計、眼鏡、財布等を載せる用途、商品販売時に商品を載置する事が可能な飾り棚と呼ばれる製品に係るものでもある。
【背景技術】
【０００２】  従来、パーティやティータイムに於いて、ケーキ、サンドウィッチ、スコーン等の食品を載せてテーブルに載置するためのケーキスタンドとして、一本の針金体をアーチ状に折曲したスタンド本体に、皿を載置するためのリング状の皿受体を２〜３個固定して形成したものが存在する。また分解可能なケーキスタンドは、皿の中心部分にネジで柱を固定するもの、皿や針金に凹凸があるもの等が存在する。
【先行技術文献】
【特許文献】
【０００３】
【特許文献１】特開平０９−１５４６９６  実登３２１５０５２  特開２０１６−１９５７２１
【考案の概要】
【考案が解決しようとする課題】
【０００４】  しかしながら、従来のケーキスタンドは、皿受体をスタンド本体に溶接等により固定して形成し分解不可能であった。従って、ケーキスタンドを収納したり運搬したりする場合に容積が大きくてかさばり、収納効率を悪くしたり、多額の運搬費を必要とするものであった。
また、分解可能なケーキスタンドのうち、皿の中央に柱をネジで固定するものは、柱についているネジを皿の中央内に埋め込まれているネジ受けに回して取り付ける構造体となっており、１枚の皿を取り付けるのに、皿の上下両方に柱をとりつけるため、手間と時間を要する物であった。
分解可能なケーキスタンドのうち、皿や針金に凹凸がある物は、完全な平面体にすることはできず、針金と皿をひとつにまとめる事が困難であった。【０００５】  本考案は、上記のような課題を解決するものであって、飾り棚に於いて、スタンド本体と皿受体とを平面体による組立式にして分解可能とする事により、飾り棚をコンパクトで完全なる平面体に分解形成しようとするものであり、且つ、組立及び分解の過程においてネジ等を必要とせず、［挿入、かみ合わせる、載せる］の３要素による容易な組立、および分解を可能とするものである。
このような飾り棚のコンパクト化と組立解体の容易化により、収納容積を減らすことができ、平面的に載積できる事から、少ない容積で一度にたくさんの数量の飾り棚を収納したり運搬したりする事ができ、且つ、組立分解が容易であるため他の工具の必要や組立分解にかかる時間も短縮化できる。
【課題を解決するための手段】
【０００６】  本考案は、上述の如き課題を解決するため、第１の枠状構造体（Ａ）の枠内上部と枠内下部に設けた隙間（ａ１，ａ３）に、第２の枠状構造体（Ｂ）をスライドして挿入し、第１の枠状構造体の内側下部の溝部（ａ１）に第２の枠状構造体の外側下部の溝部（ｂ１）をかみ合わせて、第１の枠状構造体（Ａ）と第２の枠状構造体（Ｂ）を十字状に固定する組立式スタンドとする（Ｄ）。
スタンドの構造体にあるフック部分（ａ２，ｂ２）に、第３の構造体（Ｃ）の孔（ｃ１）をはめ込み固定し、棚としての機能を持ち、スタンドの安定性を増すものである。【０００７】  また、第１の構造体（Ｅ）の上部の隙間（ｅ１）に第２の構造体（Ｆ）の下部隙間（ｆ１）をかみ合わせ、十字状にし、第１の構造体（Ｅ）の溝（ｅ２）に、第３の平面体（Ｇ）の溝（ｇ１）をかみ合わせてスライドして挿入し、第２の構造体（Ｆ）の溝（ｆ２）にスライドして挿入することで、十字状スタンド（Ｈ）が上下に動かないように固定し、安定性を高めるものである。
【考案の効果】
【０００８】  本考案の効果は、平面の組合せによる構造体のため、コンパクトな平面収納が可能であり、収納スペースが小さく収納作業が容易となる。また、組立解体に別の工具が不必要で、且つ、容易であるため、組立に時間や手間がかからず、パーティ等のテーブル設営の時間短縮を可能とする効果を奏する。
【図面の簡単な説明】
【０００９】
【図１】本考案の組立式スタンドを利用した飾り棚の一実施例を示す完成図である。
【図２】本考案の組立式スタンドを利用した飾り棚の一実施例を示す分解図である。
【図３】本考案の組立式スタンドを利用した飾り棚の一実施例を示す組立図である。
【図４】本考案の組立式スタンドを利用した飾り棚の一実施例を示す完成図である。
【図５】本考案の組立式スタンドを利用した飾り棚の一実施例を示す分解図である。
【図６】本考案の組立式スタンドを利用した飾り棚の一実施例を示す組立図である。
【考案を実施するための形態】
【００１０】  以下、本考案の一実施例を図１から図３に於いて説明すれば、第１の枠状構造体（Ａ）の枠内上部と枠内下部に設けた隙間（ａ１，ａ３）に、第２の枠状構造体（Ｂ）をスライドして挿入し、第１の枠状構造体の内側下部の溝部（ａ１）に第２の枠状構造体の外側下部の溝部（ｂ１）をかみ合わせて、第１の枠状構造体（Ａ）と第２の枠状構造体（Ｂ）を十字状に固定する（Ｄ）。
スタンドの構造体にあるフック部分（ａ２，ｂ２）に、第３の平面体（Ｃ）の孔（ｃ１）をはめ込み固定し、棚としての機能を持ち、更にスタンドの安定性を増す。
【００１１】  以下、本考案の一実施例を図４から図６に於いて説明すれば、第１の構造体（Ｅ）の上部の隙間（ｅ１）に第２の構造体（Ｆ）の下部隙間（ｆ１）をかみ合わせ、十字状にし、第１の構造体（Ｅ）の溝（ｅ２）に、第３の平面体（Ｇ）の溝（ｇ１）をかみ合わせてスライドして挿入し、第２の構造体（Ｆ）の溝（ｆ２）にスライドして挿入することで、十字状スタンド（Ｈ）が上下に動かないように固定する。
【符号の説明】
【００１２】Ａ      組立式スタンドとなる、第一の枠状構造体
ａ１    第一の枠状構造体の内側下部の溝
ａ２    第一の枠状構造体の構造部にあるフック部
ａ３    第一の枠状構造体の内側上部の溝
Ｂ      組立式スタンドとなる、第二の枠状構造体
ｂ１    第二の枠状構造体の外側下部の溝
ｂ２    第二の枠状構造体の構造部にあるフック部
Ｃ      第一の枠状構造体と第二の枠状構造体を組合せて作るスタンドのフック部にかける孔（ｃ１）がある棚としての機能を持つ部分、第三の構造体
ｃ１    第三の構造体（Ｃ）に開いている孔で、ａ２，ｂ２のフックを掛ける部分
Ｄ      第一の枠状構造体と第二の枠状構造体を組合せて作るスタンド
Ｅ      組立式スタンドとなる第一の構造体
ｅ１    第一の構造体の溝ｅ１で、第二の構造体の溝ｆ１とかみ合せる部分
ｅ２    第三の平面体Ｇの隙間ｇ１とかみ合わせるための溝
Ｆ      組立式スタンドとなる第二の構造体
ｆ１    第二の構造体の溝ｆ１で、第一の構造体の溝ｅ１とかみ合せる部分
ｆ２    第三の平面体Ｇの隙間ｇ１と第一の構造体Ｅの溝ｅ２をかみ合せた時にＧをスライドして挿入する溝
Ｈ      組立式スタンドとなる、第一構造体（Ｅ）と第二構造体（Ｆ）をかみ合せてできるスタンド
【図１】
0003227526.tif 000003
【図２】
0003227526.tif 000004
【図３】
0003227526.tif 000005
【図４】
0003227526.tif 000006
【図５】
0003227526.tif 000007
【図６】
0003227526.tif 000008
【手続補正書】
【提出日】令和2年4月29日(2020.4.29)
【手続補正１】
【補正対象書類名】実用新案登録請求の範囲
【補正対象項目名】全文
【補正方法】変更
【補正の内容】
【実用新案登録請求の範囲】
【請求項１】
枠上部（Ａ１）と枠下部（Ａ２）それぞれの中央部にスリット状の隙間（ａ１，ａ３）を備えた第１の枠状構造体（Ａ）と、
前記第１の枠状構造体（Ａ）と略同一形状で構成され、枠下部（Ｂ２）の中央部に前記第１の枠状構造体（Ａ）の枠下部中央部に設けられたスリット状の隙間（ａ３）と嵌合するスリット状の隙間（ｂ１）を備えた第２の枠状構造体（Ｂ）と、
より構成され
前記第１の枠状構造体（Ａ）と直交する方向から前記第２の枠状構造体（Ｂ）が前記隙間（ａ１，ａ３）に対してスライド挿入され、前記第１の枠状構造体（Ａ）の枠下部（Ａ２）に設けられたスリット状の隙間（ａ３）に第２の枠状構造体（Ｂ）の枠下部（Ｂ２）に設けられたスリット状の隙間（ｂ１）が嵌合することで第１の枠状構造体（Ａ）と第２の枠状構造体（Ｂ）が十字状に固定されることを特徴とする組立式飾り棚用スタンド。
【請求項２】
前記第１の枠状構造体（Ａ）及び前記第２の枠状構造体（Ｂ）を構成する側枠部（Ａ３，Ａ４、Ｂ３，Ｂ４）それぞれの同じ高さ位置に、当該側枠部（Ａ３，Ａ４、Ｂ３，Ｂ４）より枠内部に向かって延び、先端部に突起を有する４つのフック（ａ４，ａ４’、ｂ５，ｂ５’）をさらに備えるとともに、
周辺部に前記４つのフックの突起部と嵌合する位置関係で設けられた４つの穴（ｃ１，ｃ２，ｃ３，ｃ４）を備えた平板状で皿形状の第３の皿状構造体（Ｃ）を備え、
前記前記４つのフック（ａ４，ａ４’、ｂ５，ｂ５’）の突起が前記第３の皿状構造体（Ｃ）に設けられた４つの穴（ｃ１，ｃ２，ｃ３，ｃ４）に嵌め込み固定されることを特徴とする請求項１記載の組立式飾り棚用スタンドを用いた飾り棚。
【請求項３】
上部枠（Ｅ１）および下部枠（Ｅ２）と、当該上部枠（Ｅ１）および下部枠（Ｅ２）とをその端部で繋いでいる一対の側枠（Ｅ３、Ｅ４）と、前記上部枠（Ｅ１）と前記下部枠（Ｅ２）のそれぞれ中央部で前記上部枠（Ｅ１）と下部枠（Ｅ２）を繋ぐ中央枠（Ｅ５）とより構成されるとともに、前記中央枠（Ｅ５）の上部側から下部側に向かって略中央位置までの間に設けられた第１のスリット状の隙間（ｅ１）が形成されているとともに、前記上部枠（Ｅ１）と下部枠（Ｅ２）の間に前記一対の側枠（Ｅ３、Ｅ４）と前記中央枠（Ｅ５）の間に前記側枠（Ｅ３、Ｅ４）側から前記中央枠（Ｅ５）に向かって設けられた第２のスリット状の隙間（ｅ２，ｅ２’、ｅ３，ｅ３’）が形成された中間枠（Ｅ６、Ｅ６’）より構成された第１の構造体（Ｅ）と、
上部枠（Ｆ１）および下部枠（Ｆ２）と、当該上部枠（Ｆ１）および下部枠（Ｆ２）とをその端部で繋いでいる一対の側枠（Ｆ３、Ｆ４）と、前記上部枠（Ｆ１）と前記下部枠（Ｆ２）のそれぞれの中央部で前記上部枠（Ｆ１）と下部枠（Ｆ２）を繋ぐ中央枠（Ｆ５）とより構成されるとともに、前記中央枠（Ｆ５）の下部側から上部側に向かって略中央位置までの間に設けられた第３スリット状の隙間（ｆ１）が形成されているとともに、前記第１の構造体（Ｅ）の中間枠と同じ高さの位置である前記一対の側枠（Ｆ３、Ｆ４）と前記中央枠（Ｆ５）の間に設けられ、前記側枠（Ｆ３、Ｆ４）側から中央枠（Ｆ５）に向かって前記第１の構造体（Ｅ）に設けられた前記第２スリットの隙間（ｅ２，ｅ２’、ｅ３，ｅ３’）より深さが異なる第４のスリット状の隙間（ｆ２，ｆ２’、ｆ３，ｆ３’）が形成された中間枠（Ｆ６、Ｆ６’）より構成された第２の構造体（Ｆ）と、
前記第２および第４のスリット状の隙間（ｅ２，ｅ２’、ｅ３，ｅ３’）、（ｆ２，ｆ２’、ｆ３，ｆ３’）に嵌挿可能な平板状で皿状の形状から構成されるとともに、前記第２および第４のスリット状の隙間（ｅ２，ｅ２’、ｅ３，ｅ３’）（ｆ２，ｆ２’、ｆ３，ｆ３’）のうち、深さが浅い隙間と嵌合する第５のスリット状の隙間（ｇ１）が設けられた第３の構造体（Ｇ）と、
より構成され、
前記第１の構造体（Ｅ）に設けられた第１のスリット状の隙間（ｅ１）に、前記第２の構造体（Ｆ）に設けられた第２のスリット状の隙間（ｆ１）を嵌合することで第１の枠状構造体（Ｅ）と第２の枠状構造体（Ｆ）が十字状に固定された組立式飾り棚用スタンドに、
前記第３の構造体（Ｇ）に設けられた第５のスリット状の隙間（ｇ１）を前記第１の構造体（Ｅ）または第２の構造体（Ｆ）に設けられた前記第２または第４のスリット状の隙間（ｅ２，ｅ２’、ｅ３，ｅ３’）、（ｆ２，ｆ２’、ｆ３，ｆ３’）のうち、浅く形成された隙間に嵌合させるとともに、前記第２または第４のスリット状の隙間（ｅ２，ｅ２’、ｅ３，ｅ３’）、（ｆ２，ｆ２’、ｆ３，ｆ３’）のうち、深く形成された隙間に前記第３の構造体（Ｇ）を嵌合させて構成した組立式飾り棚用スタンドを用いた飾り棚。
【手続補正２】
【補正対象書類名】明細書
【補正対象項目名】全文
【補正方法】変更
【補正の内容】
【考案の詳細な説明】
【技術分野】
【０００１】  本考案は、パーティやティータイム時にケーキ、サンドウィッチ、スコーン等や、前菜などの食品を載せてテーブル等に載置する事が可能な飾り棚で、一般にケーキスタンドと呼ばれる飾り棚に係るものである。
また、身の回りの時計、眼鏡、財布等を載せる用途、商品販売時に商品を載置する事が可能な飾り棚に係るものでもある。
【背景技術】
【０００２】  従来、パーティやティータイムに於いて、ケーキ、サンドウィッチ、スコーン等の食品を載せてテーブルに載置するためのケーキスタンドとして、一本の針金体をアーチ状に折曲したスタンド本体に、皿を載置するためのリング状の皿受体を２〜３個固定して形成したものが存在する。また分解可能なケーキスタンドは、皿の中心部分にネジで柱を固定するもの、皿や針金に凹凸があるもの等が存在する。
【先行技術文献】
【特許文献】
【０００３】
【特許文献１】特開平０９−１５４６９６号公報  実用新案登録第３２１５０５２号公報  特開２０１６−１９５７２１号公報
【考案の概要】
【考案が解決しようとする課題】
【０００４】  しかしながら、従来のケーキスタンドは、皿受体をスタンド本体に溶接等により固定して形成し分解不可能であった。従って、ケーキスタンドを収納したり運搬したりする場合に容積が大きくてかさばり、収納効率を悪くしたり、多額の運搬費を必要とするものであった。
また、分解可能なケーキスタンドのうち、皿の中央に柱をネジで固定するものは、柱についているネジを皿の中央内に埋め込まれているネジ受けに回して取り付ける構造体となっており、１枚の皿を取り付けるのに、皿の上下両方に柱をとりつけるため、手間と時間を要する物であった。
分解可能なケーキスタンドのうち、皿や針金に凹凸がある物は、完全な平面体にすることはできず、針金と皿をひとつにまとめる事が困難であった。【０００５】  本考案は、上記のような課題を解決するものであって、飾り棚に於いて、スタンド本体と皿受体とを平面体による組立式にして分解可能とする事により、飾り棚をコンパクトで完全なる平面体に分解形成しようとするものであり、且つ、組立及び分解の過程においてネジ等を必要とせず、［挿入、かみ合わせる、載せる］の３要素による容易な組立、および分解を可能とするものである。
このような飾り棚のコンパクト化と組立解体の容易化により、収納容積を減らすことができ、平面的に載積できる事から、少ない容積で一度にたくさんの数量の飾り棚を収納したり運搬したりする事ができ、且つ、組立分解が容易であるため他の工具の必要や組立分解にかかる時間も短縮化できる。
【課題を解決するための手段】
【０００６】  本考案の組立式飾り棚用スタンドは、枠上部（Ａ１）と枠下部（Ａ２）それぞれの中央部にスリット状の隙間（ａ１，ａ３）を備えた第１の枠状構造体（Ａ）と、前記第１の枠状構造体（Ａ）と略同一形状で構成され、枠下部（Ｂ２）の中央部に前記第１の枠状構造体（Ａ）の枠下部中央部に設けられたスリット状の隙間（ａ３）と嵌合するスリット状の隙間（ｂ１）を備えた第２の枠状構造体（Ｂ）と、より構成され前記第１の枠状構造体（Ａ）と直交する方向から前記第２の枠状構造体（Ｂ）が前記隙間（ａ１，ａ３）に対してスライド挿入され、前記第１の枠状構造体（Ａ）の枠下部（Ａ２）に設けられたスリット状の隙間（ａ１）に第２の枠状構造体（Ｂ）の枠下部（Ｂ２）に設けられたスリット状の隙間（ｂ１）が嵌合することで第１の枠状構造体（Ａ）と第２の枠状構造体（Ｂ）が十字状に固定されることを特徴としている。【０００７】また、本考案では、前記組立式飾り用スタンドに、前記第１の枠状構造体（Ａ）及び前記第２の枠状構造体（Ｂ）を構成する側枠部（Ａ３，Ａ４、Ｂ３，Ｂ４）それぞれの同じ高さ位置に、当該側枠部（Ａ３，Ａ４、Ｂ３，Ｂ４）より枠内部に向かって延び、先端部に突起を有する４つのフック（ａ４，ａ４’、ｂ５，ｂ５’）をさらに備えるとともに、周辺部に前記４つのフックの突起部と嵌合する位置関係で設けられた４つの穴（ｃ１，ｃ２，ｃ３，ｃ４）を備えた平板状で皿形状の第３の皿状構造体（Ｃ）を備え、前記前記４つのフック（ａ４，ａ４’、ｂ４，ｂ５’）の突起が前記第３の皿状構造体（Ｃ）に設けられた４つの穴（ｃ１，ｃ２，ｃ３，ｃ４）に嵌め込み固定された組立式飾り棚用スタンドを用いた飾り棚として構成されていることを特徴としている。【０００８】さらに、本考案の組立式飾り棚用スタンドを用いた飾り棚は、上部枠（Ｅ１）および下部枠（Ｅ２）と、当該上部枠（Ｅ１）および下部枠（Ｅ２）とをその端部で繋いでいる一対の側枠（Ｅ３、Ｅ４）と、前記上部枠（Ｅ１）と前記下部枠（Ｅ２）のそれぞれ中央部で前記上部枠（Ｅ１）と下部枠（Ｅ２）を繋ぐ中央枠（Ｅ５）とより構成されるとともに、前記中央枠（Ｅ５）の上部側から下部側に向かって略中央位置までの間に設けられた第１のスリット状の隙間（ｅ１）が形成されているとともに、前記上部枠（Ｅ１）と下部枠（Ｅ２）の間に前記一対の側枠（Ｅ３、Ｅ４）と前記中央枠（Ｅ５）の間に前記側枠（Ｅ３、Ｅ４）側から前記中央枠（Ｅ５）に向かって設けられた第２のスリット状の隙間（ｅ２，ｅ２’、ｅ３，ｅ３’）が形成された中間枠（Ｅ６、Ｅ６’）より構成された第１の構造体（Ｅ）と、上部枠（Ｆ１）および下部枠（Ｆ２）と、当該上部枠（Ｆ１）および下部枠（Ｆ２）とをその端部で繋いでいる一対の側枠（Ｆ３、Ｆ４）と、前記上部枠（Ｆ１）と前記下部枠（Ｆ２）のそれぞれの中央部で前記上部枠（Ｆ１）と下部枠（Ｆ２）を繋ぐ中央枠（Ｆ５）とより構成されるとともに、前記中央枠（Ｆ５）の下部側から上部側に向かって略中央位置までの間に設けられた第３スリット状の隙間（ｆ１）が形成されているとともに、前記第１の構造体（Ｅ）の中間枠と同じ高さの位置である前記一対の側枠（Ｆ３、Ｆ４）と前記中央枠（Ｆ５）の間に設けら���、前記側枠（Ｆ３、Ｆ４）側から中央枠（Ｆ５）に向かって前記第１の構造体（Ｅ）に設けられた前記第２スリットの隙間（ｅ２，ｅ２’、ｅ３，ｅ３’）より深さが異なる第４のスリット状の隙間（ｆ２，ｆ２’、ｆ３，ｆ３’）が形成された中間枠（Ｆ６、Ｆ６’）より構成された第２の構造体（Ｆ）と、前記第２および第４のスリット状の隙間（ｅ２，ｅ２’、ｅ３，ｅ３’）（ｆ２，ｆ２’、ｆ３，ｆ３’）に嵌挿可能な平板状で皿状の形状から構成されるとともに、前記第２および第４のスリット状の隙間（ｅ２，ｅ２’、ｅ３，ｅ３’）（ｆ２，ｆ２’、ｆ３，ｆ３’）のうち、深さが浅い隙間と嵌合する第５のスリット状の隙間（ｇ１）が設けられた第３の構造体（Ｇ）と、より構成され、
前記第１の構造体（Ｅ）に設けられた第１のスリット状の隙間（ｅ１）に、前記第２の構造体（Ｆ）に設けられた第２のスリット状の隙間（ｆ１）を嵌合することで第１の枠状構造体（Ｅ）と第２の枠状構造体（Ｆ）が十字状に固定された組立式飾り棚用スタンドに、前記第３の構造体（Ｇ）に設けられた第５のスリット状の隙間（ｇ１）を前記第１の構造体（Ｅ）または第２の構造体（Ｆ）に設けられた前記第２または第４のスリット状の隙間（ｅ２，ｅ２’、ｅ３，ｅ３’）、（ｆ２，ｆ２’、ｆ３，ｆ３’）のうち、浅く形成された隙間に嵌合させるとともに、前記第２または第４のスリット状の隙間（ｅ２，ｅ２’、ｅ３，ｅ３’）、（ｆ２，ｆ２’、ｆ３，ｆ３’）のうち、深く形成された隙間に前記第３の構造体（Ｇ）を嵌合させて構成したことを特徴とする。
【考案の効果】
【０００９】  本考案の効果は、平面の組合せによる構造体のため、コンパクトな平面収納が可能であり、収納スペースが小さく収納作業が容易となる。また、組立解体に別の工具が不必要で、且つ、容易であるため、組立に時間や手間がかからず、パーティ等のテーブル設営の時間短縮を可能とする効果を奏する。
【図面の簡単な説明】
【００１０】
【図１】本考案の組立式スタンドを利用した飾り棚の一実施例を示す完成図である。
【図２】本考案の組立式スタンドを利用した飾り棚の一実施例を示す分解図である。
【図３】本考案の組立式スタンドを利用した飾り棚の一実施例を示す組立図である。
【図４】本考案の組立式スタンドを利用した飾り棚の一実施例を示す完成図である。
【図５】本考案の組立式スタンドを利用した飾り棚の一実施例を示す分解図である。
【図６】本考案の組立式スタンドを利用した飾り棚の一実施例を示す組立図である。
【考案を実施するための形態】
【００１１】  以下、本考案の第１の実施例を図１から図３を用いて説明する。
【００１２】本考案の第１実施例である組立式飾り棚用スタンドは、図２（１）に示す第１の枠状構造体Ａと図２（２）に示す第２の枠状構造体Ｂより構成されている。図に示すようにこれら２つの枠状構造体ＡとＢは、略同一の構造をしている。第１の枠状構造体Ａは、図に示すように、上部枠Ａ１と下部枠Ａ２と側枠Ａ３、Ａ４より構成されている。そして、上部枠Ａ１の中央部にはスリット状の隙間ａ１が形成されるとともに、下部枠Ａ２の中央部にもスリット状の隙間ａ３が設けられている。また、第２の枠状構造体Ｂは、図に示すように、上部枠Ｂ１と下部枠Ｂ２と側枠Ｂ３、Ｂ４より構成されている。そして、下部枠Ｂ２の中央部にスリット状の隙間ｂ３が設けられている。このスリット状の隙間ｂ３は、後述するように、組み立てられた際に第１枠状構造体Ａの下部枠Ａ２に設けられたスリット状の隙間ａ３と嵌合する。
【００１３】また、第１の枠状構造体Ａは、図に示すように、側枠Ａ３およびＡ４それぞれに側枠Ａ３およびＡ４から枠の内側に向かって延び、先端に突起を有するフックａ４、ａ４‘が所定の高さ位置に設けられている。さらに、第２の枠状構造体Ｂは、図に示すように、側枠Ｂ３およびＢ４それぞれに側枠Ｂ３およびＢ４から枠の内側に向かって延び、先端に突起を有するフックｂ５、ｂ５‘が所定のｅ  ｌ１の枠構造体Ａに設けられたフックａ４、ａ４’と同じ高さ位置に設けられている。
【００１４】そして、これら第１の枠状構造体Ａと第２の枠状構造体Ｂは、図３（１）に示すように、第１の枠状構造体Ａに対して第２の枠状構造体Ｂが直交する方向から、第１の枠状構造体Ａに設けたスリット状の隙間ａ１にスライドするように挿入し、図３（２）に示すように、第１の枠状構造体の内側下部のスリット状の隙間ａ３に第２の枠状構造体の外側下部のスリット状の隙間ｂ１を嵌合させることで、第１の枠状構造体Ａと第２の枠状構造体Ｂを十字状に固定することによって組み立てられ、飾棚用スタンドを構成する。
【００１５】さらに、図２（３）に示す皿状構造体Ｃは、図１や図３（３）に示すように、平板状であり、図に示すとおり所定の模様が施された皿状に構成されている。そしてこの皿状構造体Ｃには、周囲に第１および第２の枠状構造体Ａ、Ｂに設けられたフックａ４、ａ４‘、ｂ５、ｂ５’に設けられた突起に嵌め込むための４つの穴ｃ１〜ｃ４が設けられている。
【００１６】そして、この皿状構造体Ｃは、図３（３）に示すように、組み立てられた飾り棚用スタンドに対して、皿状構造体Ｃに設けられた穴ｃ１〜ｃ４をフックａ４、ａ４‘、ｂ５、ｂ５’に設けられた突起に嵌め込むようにして固定することで、図１に示すような組立式飾用スタンドを用いた飾り棚とすることができる。なお、図１においては、皿状構造体Ｃが組立式飾用スタンドの下部にも設ける例を示している。
【００１７】  以下、本考案の第２の実施例を図４から図６を用いて説明する。
【００１８】図５（１）は、第２実施例における第１の構造体Ｅを示す図である。図に示すとおり、第１の構造体Ｅは、上部枠Ｅ１および下部枠Ｅ２と、当該上部枠Ｅ１および下部枠Ｅ２とをその端部で繋いでいる一対の側枠Ｅ３、Ｅ４と、上部枠Ｅ１と下部枠Ｅ２のそれぞれ中央部で上部枠Ｅ１と下部枠Ｅ２を繋ぐ中央枠Ｅ５とより構成されている。また、この第１の構造体Ｅは、中央枠Ｅ５の上部側から下部側に向かって中央位置までの間に設けられた第１のスリット状の隙間ｅ１が形成されている。さらに、上部枠Ｅ１と下部枠Ｅ２の間に一対の側枠Ｅ３、Ｅ４と中央枠Ｅ５の間に側枠Ｅ３、Ｅ４側から中央枠（Ｅ５）に向かって設けられた第２のスリット状の隙間ｅ２，ｅ２’、ｅ３，ｅ３’が形成された中間枠Ｅ６、Ｅ６’が設けられている。
【００１９】図５（２）は、第２実施例における第２の構造体Ｆを示す図である。図に示すとおり、第２の構造体Ｆは、上部枠Ｆ１および下部枠Ｆ２と、当該上部枠Ｆ１および下部枠Ｆ２とをその端部で繋いでいる一対の側枠Ｆ３、Ｆ４と、上部枠Ｆ１と下部枠Ｆ２のそれぞれの中央部で上部枠Ｆ１と下部枠Ｆ２を繋ぐ中央枠Ｆ５が設けられている。また、この第２の構造体Ｆは、中央枠Ｆ５の下部側から上部側に向かって中央位置までの間に設けられた第３スリット状の隙間ｆ１が形成されている。さらに、第１の構造体Ｅの中間枠と同じ高さの位置である一対の側枠Ｆ３、Ｆ４と中央枠Ｆ５の間に側枠Ｆ３、Ｆ４側から中央枠（Ｆ５）に向かって第１の構造体Ｅに設けられた第２スリットの隙間ｅ２，ｅ２’、ｅ３，ｅ３’とは深さが異なる第４のスリット状の隙間ｆ２，ｆ２’、ｆ３，ｆ３’が形成された中間枠Ｆ６、Ｆ６’が設けられている。
【００２０】図５（３）は、第２実施例の第３の構造体Ｇを示す図である。図に示すとおり、第３の構造体Ｇは、第１の構造体Ｅの第２のスリット状の隙間ｅ２，ｅ２’、ｅ３，ｅ３’と第２の構造体Ｆの第４のスリット状の隙間ｆ２，ｆ２’、ｆ３，ｆ３’に嵌挿可能な平板状で皿状の形状から構成されている。そして、この第３の構造体Ｇには、第２および第４のスリット状の隙間ｅ２，ｅ２’、ｅ３，ｅ３’ｆ２，ｆ２’、ｆ３，ｆ３’のうち、深さが浅い隙間と嵌合する第５のスリット状の隙間（ｇ１）が設けられている。
【００２１】そして、図６（１）に示すように、第１の構造体Ｅに設けられた第１のスリット状の隙間ｅ１に、第２の構造体Ｆに設けられた第２のスリット状の隙間ｆ１を嵌合させることで、図６（２）に示すように、第１の枠状構造体Ｅと第２の枠状構造体Ｆが十字状に固定された組立式飾り棚用スタンドを構成する。
【００２２】このように組み立てられた組立式飾り棚用スタンドに対して、第３の構造体Ｇに設けられた第５のスリット状の隙間ｇ１を前記第１の構造体Ｅまたは第２の構造体Ｆに設けられた前記第２または第４のスリット状の隙間ｅ２，ｅ２’、ｅ３，ｅ３’、ｆ２，ｆ２’、ｆ３，ｆ３’のうち、浅く形成された隙間に嵌合させるとともに、前記第２または第４のスリット状の隙間ｅ２，ｅ２’、ｅ３，ｅ３’、ｆ２，ｆ２’、ｆ３，ｆ３’のうち、深く形成された隙間に前記第３の構造体（Ｇ）を嵌合させて組立式飾り棚用スタンドを用いた飾り棚構成している。
【符号の説明】
【００２３】Ａ    第１の枠状構造体
Ｂ    第２の枠状構造体
ａ１、ａ３、ｂ１  スリット状の隙間
ａ４、ａ４’、ｂ５、ｂ５’フック
Ｃ    第３の皿状構造体
ｃ１、ｃ２、ｃ３、ｃ４  穴
Ｅ    第１の構造体
ｅ１  第１のスリット状の隙間
ｅ２、ｅ２’、ｅ３、ｅ３’  第２のスリット状の隙間
Ｆ    第２の構造体
ｆ１  第３のスリット状の隙間
ｆ２、ｆ２’、ｆ３、ｆ３’  第４のスリット状の隙間
Ｇ    第３の構造体
ｇ１  第５のスリット状の隙間
【手続補正３】
【補正対象書類名】図面
【補正対象項目名】全図
【補正方法】変更
【補正の内容】
【図１】
0003227526.tif 000009
【図２】
0003227526.tif 000010
【図３】
0003227526.tif 000011
【図４】
0003227526.tif 000012
【図５】
0003227526.tif 000013
【図６】
0003227526.tif 000014